(57)【要約】【課題】  三次元的に空気を撹拌することができ、騒音や振動を抑制することができ、輸送や設置の作業を容易にすることができる住宅用空気撹拌機を提供する。【解決手段】  シロッコファン10を内蔵した本体ハウジング20、底部の空気取り入れ口40、側壁部の複数のスリット開口53a〜53hからなる鎧戸構造の空気吹き出し口50を備え、上部のスリット開口53a〜53dからは斜め上方に空気を吹き出し、下部のスリット開口53e〜53hからは斜め下方に空気を吹き出す様に仕切部材51a〜51gを傾斜させた住宅用空気撹拌機１であって、さらに、底部の中心に下向き凸形状の整流コーン30を備え、空気取り入れ口40は整流コーン30の根元から伸びる渦巻き状の開口部41によって構成され、本体ハウジング20に収納可能な設置・固定用の金具80を備えている。【選択図】  図１
2005069070.tif 000002
【特許請求の範囲】
【請求項１】
（Ａ）  以下の構成を備えることを特徴とする住宅用空気撹拌機。
（Ｂ）  シロッコファンを内蔵した本体ハウジングを備えていること。
（Ｃ）  前記本体ハウジングの底部に空気取り入れ口を備えていること。
（Ｄ）  前記本体ハウジングの側壁部に空気吹き出し口を備えていること。
（Ｅ）  前記空気吹き出し口は、水平方向に伸びる複数の仕切部材により仕切られた複数のスリット開口からなる鎧戸の様な構造を有していること。
（Ｆ）  前記仕切部材は、前記複数のスリット開口の内、上部のスリット開口からは斜め上方に空気を吹き出し、下部のスリット開口からは斜め下方に空気を吹き出す様に傾斜していること。
【請求項２】
請求項１記載の住宅用空気撹拌機であって、さらに以下の構成を備えることを特徴とする住宅用空気撹拌機。
（Ｇ）  前記本体ハウジングの側壁部は、前記空気吹き出し口が形成された部分と、前記空気吹き出し口が形成されていない部分とを周方向に交互に備えていること。
（Ｈ）  前記空気吹き出し口が形成されていない部分の内面は、前記シロッコファンの回転中心に対して螺旋状の曲面とされていること。
【請求項３】
請求項２記載の住宅用空気撹拌機であって、さらに以下の構成を備えることを特徴とする住宅用空気撹拌機。
（Ｉ）  前記空気吹き出し口が形成されていない部分の外面は、内面よりも大きな曲率の曲面とされていること。
【請求項４】
請求項３記載の住宅用空気撹拌機であって、さらに以下の構成を備えることを特徴とする住宅用空気撹拌機。
（Ｊ）  前記シロッコファン駆動モータから伸びるワイヤハーネスを、前記空気吹き出し口が形成されていない部分の内の少なくとも一つの内部空間を通して前記本体ハウジン
グの上面から外部に延出したこと。
【請求項５】
請求項１〜４のいずれか記載の住宅用空気撹拌機であって、さらに以下の構成を備えることを特徴とする住宅用空気撹拌機。
（Ｋ）  前記本体ハウジングは、
（ｋ１）  上蓋部材と、
（ｋ２）  底蓋部材と、
（ｋ３）  前記空気吹き出し口が形成された部分と前記空気吹き出し口が形成されていない部分とを対とする複数個の側壁部材と
から構成されていること。
（Ｌ）  前記本体ハウジングを構成する前記各部材が、合成樹脂射出成形品であること。
【請求項６】
請求項４記載の住宅用空気撹拌機であって、さらに以下の構成を備えることを特徴とする住宅用空気撹拌機。
（Ｋ）  前記本体ハウジングは、
（ｋ１）  上蓋部材と、
（ｋ２）  底蓋部材と、
（ｋ３）  前記空気吹き出し口が形成された部分と前記空気吹き出し口が形成されていない部分とを対とする複数個の側壁部材と
から構成されていること。
（Ｌ）  前記本体ハウジングを構成する前記各部材が、合成樹脂射出成形品であること。
（Ｍ）  前記空気吹き出し口が形成されていない部分の外面は、着脱式とされていること。
【請求項７】
請求項１〜６のいずれか記載の住宅用空気撹拌機であって、さらに以下の構成を備えることを特徴とする住宅用空気撹拌機。
（Ｎ）  前記本体ハウジングの底部の中心に、下向き凸形状の整流コーンを備えていること。
（Ｏ）  前記空気取り入れ口は、前記整流コーンの根元から伸びる渦巻き状の開口部によって構成されていること。
【請求項８】
請求項７記載の住宅用空気撹拌機であって、さらに以下の構成を備えることを特徴とする住宅用空気撹拌機。
（Ｐ）  シロッコファン駆動モータは、前記本体ハウジングの底部に固定されていること。
（Ｑ）  前記整流コーンは、裏面側にコンデンサ収納空間を有すること。
（Ｒ）  前記コンデンサ収納空間内にコンデンサを収納したこと。
【請求項９】
請求項８記載の住宅用空気撹拌機であって、さらに以下の構成を備えることを特徴とする住宅用空気撹拌機。
（Ｓ）  前記コンデンサ収納空間の上部を前記シロッコファン駆動モータの後端面で覆ったこと。
【請求項１０】
請求項１〜９のいずれか記載の住宅用空気撹拌機であって、さらに以下の構成を備えることを特徴とする住宅用空気撹拌機。
（Ｔ）  前記本体ハウジングを住宅内の所望の位置に設置・固定するための金具を備えていること。
（Ｕ）  前記金具は、前記本体ハウジングに収納可能に構成されていること。
（Ｖ）  前記シロッコファンは、下方が開放され、上部にモータシャフト取付部を有する円筒形状を呈し、前記シロッコファン駆動モータの上方から該シロッコファン駆動モータの本体を覆う様に装着されていること。
【請求項１１】
請求項１０記載の住宅用空気撹拌機であって、さらに以下の構成を備えることを特徴とする住宅用空気撹拌機。
（Ｗ）  前記金具は、前記本体ハウジングの内部から外部へと上下動可能に構成されて
いること。
（Ｘ）  前記本体ハウジング内に、前記金具の上下方向位置を固定する金具固定具を備えていること。
【発明の詳細な説明】
【技術分野】
【０００１】
本発明は、住宅内の空気を撹拌する機器に係り、特に、床下や天井裏の換気システムに用いるのに適する住宅用空気撹拌機に関する。
【背景技術】
【０００２】
従来、図１５〜図１７に示す様な、床下或いは天井裏の基礎の外枠部分１０１の内側の適切な設置位置１１３に、または床下と天井裏の基礎の外枠部分１０１の内側の適切な設置位置１１３に送風装置１１０を配設し、送風装置１１０から送り出される風の流路を、送風ガイド１０９と、その送風ガイド１０９を支持するガイド支持部材１０８とにより、前記送風装置１１０の周囲に数方向に形成し、この数方向に形成された流路の吹出口１０７から水平方向に放出される空気を、該流路を形成する送風ガイド１０９とガイド支持部材１０８とにより、床下或いは天井裏の基礎の外枠部分１０１の隅の部分にまでも送風し得るようにしたことを特徴とする床下と天井裏の換気装置が知られている（特許文献１）。
【特許文献１】実開平６−１４８４３号公報（要約、図１〜図３）
【発明の開示】
【発明が解決しようとする課題】
【０００３】
ところが、上記従来の「床下と天井裏の換気装置」は、シロッコファン１１０から吹き出した風をガイド支持部材１０８及び送風ガイド１０９に衝突させ、ガイド支持部材１０８及び送風ガイド１０９によって形成された流路１０４を介して吹出口１０７に導く様に構成されているため、シロッコファン１１０から吹き出した風は、無理矢理に方向を変更されることとなり、圧力損失が大きく、吹出口１０７から吹き出す風の到達距離が短くなり、床下全体を十分に撹拌するには、多数の同種装置を設置しなければならないという問題がある。
【０００４】
また、上記従来の「床下と天井裏の換気装置」は、本体内に深く入り込む様にガイド支持部材１０８及び送風ガイド１０９が設けられているため、本体内の気流が乱されて騒音や振動を発生させるため、風力を大きくすることができないという問題もある。特に、送風ガイド１０９が薄板を折り曲げたもので構成されていることも騒音・振動の問題を大きくしている。このこともまた、同種装置を多数設置しなければならない原因となっている。
【０００５】
さらに、上記従来の「床下と天井裏の換気装置」は、水平方向の撹拌は可能であるが、垂直方向に撹拌することはできず、床下や天井裏の空気を十分に撹拌することができないという問題もある。このこともまた、同種装置を多数設置しなければならない原因となっている。
【０００６】
加えて、上記従来の「床下と天井裏の換気装置」は、図１６に示す様に、固定式電源部を設けた基部１０３の下端から下に伸びる様にシロッコファン１１０が取り付けられ、基部１０３の上面に根太への固定部１０５が設けられているので、全体の高さが大きく、狭い床下や天井裏に持ち込み難く、設置作業がやり難いという問題もある。
【０００７】
そこで、本発明は、三次元的に空気を撹拌することのできる住宅用空気撹拌機を提供することを他の目的（第１の目的）とする。
【０００８】
また、本発明は、騒音や振動の少ない住宅用空気撹拌機を提供することを一つの目的（第２の目的）とする。
【０００９】
さらに、本発明は、コンパクトで輸送や設置作業の容易な住宅用空気撹拌機を提供することをさらに他の目的（第３の目的）とする。
【課題を解決するための手段】
【００１０】
第１の目的を達成するためになされた本発明の住宅用空気撹拌機は、課題解決手段として、以下の構成を有する。
【００１１】
（Ａ）  住宅用空気撹拌機であること。
（Ｂ）  シロッコファンを内蔵した本体ハウジングを備えていること。
（Ｃ）  前記本体ハウジングの底部に空気取り入れ口を備えていること。
（Ｄ）  前記本体ハウジングの側壁部に空気吹き出し口を備えていること。
（Ｅ）  前記空気吹き出し口は、水平方向に伸びる複数の仕切部材により仕切られた複数のスリット開口からなる鎧戸の様な構造を有していること。
（Ｆ）  前記仕切部材は、前記複数のスリット開口の内、上部のスリット開口からは斜め上方に空気を吹き出し、下部のスリット開口からは斜め下方に空気を吹き出す様に傾斜していること。
【００１２】
この第１の目的を達成するための住宅用空気撹拌機によれば、本体ハウジングから吹き出す空気は、構成要件（Ｅ）、（Ｆ）を採用した結果、上下方向に広がり、床下等の空間を垂直方向にも撹拌することができる。よって、シロッコファン本来の機能による水平方向の撹拌に加えて垂直方向の撹拌も行われる結果、空気は三次元的に撹拌され、床下や天井裏等で下方に停滞する湿気や上方に停滞する熱気を十分に撹拌することができる。従って、床下等に設置すべき空気撹拌機の設置数を減らすことができる。この結果、第１の目的を達成するための住宅用空気撹拌機は、騒音・振動発生源を減らすという効果も発揮する。このことから、第１の目的を達成する本発明の住宅用空気撹拌機は、換気システム全体として考えたときには第２の目的をも達成することができるものでもあるということができる。
【００１３】
ここで、騒音・振動抑制効果を高めると共に撹拌能力をもより高めるために、さらに以下の構成をも備える様にするとよい。
【００１４】
（Ｇ）  前記本体ハウジングの側壁部は、前記空気吹き出し口が形成された部分と、前記空気吹き出し口が形成されていない部分とを周方向に交互に備えていること。
（Ｈ）  前記空気吹き出し口が形成されていない部分の内面は、前記シロッコファンの回転中心に対して螺旋状の曲面とされていること。
【００１５】
構成要件（Ｇ）をも備えることで、空気吹き出し口が堅牢な構造となり、スリット開口を構成する仕切部材の振動を抑制することができ、騒音・振動の発生を抑制することができる。また、構成要件（Ｈ）をも備えることで、スリット開口から上下に広がる様に吹き出す空気流を水平方向の旋回流に載せることができ、三次元的な撹拌の能力をより一層向上させることができる。
【００１６】
ここで、さらに、撹拌能力を向上させるために、さらに以下の構成をも備える様にするとよい。
【００１７】
（Ｉ）  前記空気吹き出し口が形成されていない部分の外面は、内面よりも大きな曲率の曲面とされていること。
【００１８】
構成要件（Ｉ）をも備えることで、スリット開口から吹き出した気流は、空気吹き出し口が形成されていない部分の外面の方が内面よりも流速が大きくなる。従って、本体ハウ
ジングの外側に、圧力差による吸い出し力が働き、スリット開口から吹き出す気流をより遠くまで到達させることができる。この結果、撹拌能力をより一層高めることができる。
【００１９】
ここで、騒音・振動を抑制するために、さらに以下の構成をも備える様にするとよい。
【００２０】
（Ｊ）  前記シロッコファン駆動モータから伸びるワイヤハーネスを、前記空気吹き出し口が形成されていない部分の内の少なくとも一つの内部空間を通して前記本体ハウジングの上面から外部に延出したこと。
【００２１】
構成要件（Ｊ）をも備えることで、シロッコファン駆動用モータに電力を供給するためのワイヤハーネスの本体ハウジング内の敷設部分を最小限にすることができ、ワイヤハーネスが騒音・振動の発生源となるのを抑制することができる。
【００２２】
ここで、騒音・振動をより一層抑制すると共に組立を容易にするために、さらに以下の構成をも備える様にするとよい。
【００２３】
（Ｋ）  前記本体ハウジングは、
（ｋ１）  上蓋部材と、
（ｋ２）  底蓋部材と、
（ｋ３）  前記空気吹き出し口が形成された部分と前記空気吹き出し口が形成されていない部分とを対とする複数個の側壁部材と
から構成されていること。
（Ｌ）  前記本体ハウジングを構成する前記各部材が、合成樹脂射出成形品であること。
【００２４】
構成要件（Ｋ）を採用することで、本体ハウジングの組立は、例えば、底蓋部材の上に、複数の側壁部材を取り付け、その上から上蓋部材を側壁部材に取り付けるという作業で良く、他に支柱を取り付けるなどの作業をしなくてよい。また、これら上蓋部材、底蓋部材及び側壁部材を合成樹脂射出成形品とすることで（構成要件（Ｌ）））、各部材を軽量で剛性の高い部材に仕上げることができ、騒音・振動を抑制する効果を高めることができる。特に、上述した様な多くの効果を達成するための本体ハウジングを所望のデザインに仕上げることができ、住宅用機器に要求されるデザイン性の高い製品を製造する上で有利である。また、微妙に角度を代えた仕切部材を備えた側壁部材を製造する上で、側壁部材が複数に分割されていることは、極めて有利である。
【００２５】
ここで、構成要件（Ｊ）をも備えたものにあっては、特に、（Ｍ）前記空気吹き出し口が形成されていない部分の外面を、着脱式とするとよい。
【００２６】
この様に、構成要件（Ｊ）を備えたものにおいて構成要件（Ｋ）、（Ｌ）のみではなく構成要件（Ｍ）をも備える様にすることで、空気吹き出し口が形成されていない部分の内部空間に、ワイヤハーネスを敷設する作業を容易にし、また、この部分で結線する様に構成するなどすることで、より一層組立を容易にすることができる。
【００２７】
第２の目的を達成するためになされた本発明の住宅用空気撹拌機は、課題解決手段として、以下の構成を有する。
【００２８】
（Ａ）  住宅用空気撹拌機であること。
（Ｂ）  シロッコファンを内蔵した本体ハウジングを備えていること。
（Ｃ）  前記本体ハウジングの底部に空気取り入れ口を備えていること。
（Ｄ）  前記本体ハウジングの側壁部に空気吹き出し口を備えていること。
（Ｎ）  前記本体ハウジングの底部の中心に、下向き凸形状の整流コーンを備えていること。
（Ｏ）  前記空気取り入れ口は、前記整流コーンの根元から伸びる渦巻き状の開口部に
よって構成されていること。
【００２９】
第２の目的を達成するための住宅用空気撹拌機によれば、整流コーン（構成要件（Ｎ））と渦巻き状開口部（構成要件（Ｏ））の作用により、空気取り入れ口（構成要件（Ｃ））から本体ハウジング（構成要件（Ｂ））内に取り込まれる空気の気流の乱れは十分に抑制される。従って、騒音や振動を抑制することができる。よって、風力を大きくすることもできる。このの結果、少ない設置台数で床下等の空気を十分に撹拌することができる。
【００３０】
ここで、従来の空気撹拌機では、コンデンサをモータの側面に設置していた。このため、ハウジング内が軸対象の空間とならなかった。この結果、ハウジング内に気流の乱れが作り出されていた。
【００３１】
そこで、第２の目的を達成するための本発明の住宅用空気撹拌機は、さらに以下の構成をも備える様にするとよい。
【００３２】
（Ｐ）  シロッコファン駆動モータは、前記本体ハウジングの底部に固定されていること。
（Ｑ）  前記整流コーンは、裏面側にコンデンサ収納空間を有すること。
（Ｒ）  前記コンデンサ収納空間内にコンデンサを収納したこと。
【００３３】
この様に、構成要件（Ｐ），（Ｑ）及び（Ｒ）をも備えることで、本発明の住宅用空気撹拌機では、コンデンサの出っ張りがなく、ハウジング内に取り入れられた気流は乱されることなくシロッコファンで側方へ吹き出される。よって、より一層、騒音や振動を抑制することができる。
【００３４】
ここで、上述の様に構成してハウジング内をほぼ軸対象の空間としても、例えばコンデンサ収納空間に気流が入り込む構造であると、それに伴う騒音が生じる可能性がある。
【００３５】
そこで、上述した住宅用空気撹拌機が、さらに以下の構成をも備える様にするとよい。
【００３６】
（Ｓ）  前記コンデンサ収納空間の上部を前記シロッコファン駆動モータの後端面で覆ったこと。
【００３７】
この様に、構成要件（Ｓ）をも備えることで、本発明の住宅用空気撹拌機は、コンデンサ収納空間に空気が流入して同空間内の空気を振動させるということがないので、より一層、騒音・振動抑制効果が高まる。
【００３８】
第３の目的を達成するためになされた本発明の住宅用空気撹拌機は、課題解決手段として、以下の構成を有する。
【００３９】
（Ａ）  住宅用空気撹拌機であること。
（Ｂ）  シロッコファンを内蔵した本体ハウジングを備えていること。
（Ｃ）  前記本体ハウジングの底部に空気取り入れ口を備えていること。
（Ｄ）  前記本体ハウジングの側壁部に空気吹き出し口を備えていること。
（Ｔ）  前記本体ハウジングを住宅内の所望の位置に設置・固定するための金具を備えていること。
（Ｕ）  前記金具は、前記本体ハウジングに収納可能に構成されていること。
（Ｖ）  前記シロッコファンは、下方が開放され、上部にモータシャフト取付部を有する円筒形状を呈し、前記シロッコファン駆動モータの上方から該シロッコファン駆動モータの本体を覆う様に装着されていること。
【００４０】
この第３の目的を達成するための住宅用空気撹拌機によれば、金具を本体ハウジングに収納させておくことで全体の高さを小さくすることができる（構成要件（Ｕ））。また、
シロッコファンをモータの上方から被す様にしたので、これによってもさらに、装置全体の高さを小さくすることができる（構成要件（Ｖ））。従って、撹拌機を床下や天井裏に搬入する際に、金具が邪魔にならず、搬入作業を容易にする。また、撹拌機の出荷や保管の際にも、金具を本体ハウジングに収納することで全体の高さを小さくできるので、輸送や保管を容易にするという効果もある。
【００４１】
金具の収納の仕方としては、例えば、下端にヒンジを備えさせた起倒式とすることもできる。しかし、起倒式の場合、本体ハウジングが振動し易くなる。
【００４２】
そこで、振動し難い構造として、以下の構成をも備える様にするとよい。
【００４３】
（Ｗ）  前記金具は、前記本体ハウジングの内部から外部へと上下方向にスライド可能に構成されていること。
（Ｘ）  前記本体ハウジング内に、前記金具を上下方向にスライドさせた後に固定する固定具を備えていること。
【００４４】
この様に、構成要件（Ｗ）、（Ｘ）を備えることにより、金具を引き出したときもその下端部は本体ハウジング内に位置する構造となるので、本体ハウジングがぐらつき難い。従って、この構成要件（Ｗ）、（Ｘ）をも備えた住宅用空気撹拌機は、本体ハウジングの振動抑制効果が高い。また、スライド方式なので、例えば、金具に係合溝を設け、本体ハウジング内にスナップ係合爪を設けておけば、金具の長さを段階的に変更することができ、かつ、複数の金具を備える場合に、それらを引き出したときの長さを容易に一致させることができるので、撹拌機の設置作業が容易になるという利点もある。
【００４５】
なお、第１の目的を達成するための住宅用空気撹拌機に第２の目的を達成するための住宅用空気撹拌機の構成をも備えさせてもよいし、第１の目的を達成するための住宅用空気撹拌機に第３の目的を達成するための住宅用空気撹拌機の構成をも備えさせてもよい。また、第１の目的を達成するための住宅用空気撹拌機に、第２の目的を達成するための住宅用空気撹拌機の構成と、第３の目的を達成するための構成の両方を備えさせる様にしても構わない。第２及び第３の目的を達成するための住宅用空気撹拌機が備えるべき構成を加えても、第１の目的である三次元的な撹拌の作用効果を著しく妨げることはない。また、第２の目的である騒音・振動抑制効果についても、第１の目的を達成するための構成や第３の目的を達成するための構成がこれを害することはなく、特に、第１の目的を達成するための構成を加えた場合には、撹拌効果の向上による設置台数の減少が期待でき、換気システムとして考えたときの騒音・振動防止効果を高めることができる。さらに、第３の目的である輸送や設置作業の容易化は、第１の目的を達成するための構成や第２の目的を達成するための構成によって阻害されることもない。この様に、第１の目的を達成するために本発明が採用した構成と、第２の目的を達成するために本発明が採用した構成と、第３の目的を達成するために本発明が採用した構成は、それぞれが、並列的関係にあり、かつ、他の目的を阻害しないものである。
【発明の効果】
【００４６】
本発明の住宅用空気撹拌機によれば、三次元的に空気を撹拌することができる。
【００４７】
また、本発明の住宅用空気撹拌機によれば、騒音や振動を抑制することができる。
【００４８】
さらに、本発明の住宅用空気撹拌機によれば、輸送や設置作業を容易にすることができる。
【発明を実施するための最良の形態】
【００４９】
次に、本発明の実施の形態を図面に基づいて説明する。実施の形態の住宅用空気撹拌機１は、図１〜図４に示す様に、シロッコファン１０を内蔵した本体ハウジング２０を備えている。本体ハウジング２０は、図２に示す様に、上蓋部材２１と、底蓋部材２３と、複数個（４個）の側壁部材２５とから構成されている。
【００５０】
底蓋部材２３には、図１〜図４、図６、図８及び図９に示す様に、その中心に、下向き凸形状の整流コーン３０が形成されている。また、空気取り入れ口４０として、整流コーン３０の根元から伸びる渦巻き状の開口部４１が設けられている。この渦巻き状の開口部
４１は、８個の螺旋状枠部材４３の間に形成され、底面側から見たとき時計方向の渦巻き形状を呈している。また、各渦巻き状開口部４１は、３個のリング状枠部材４５によって半径方向に４つの開口４１ａ〜４１ｄに区分されている。
【００５１】
４個の側壁部材２５は、図１、図２に示す様に、空気吹き出し口５０が形成された部分２５ａと空気吹き出し口５０が形成されていない部分２５ｂとを対としたものである。４個の側壁部材２５は、いずれも同じ形状をしており、それぞれは、角度９０度分の円弧状の部材となっている。従って、４個の側壁部材２５を組み立てると、本体ハウジング２０の側壁部として、空気吹き出し口５０が形成された部分と、空気吹き出し口５０が形成されていない部分とを周方向に交互に備えた円筒を構成する。
【００５２】
空気吹き出し口５０は、図３、図１０に示す様に、水平方向に伸びる複数個（７個）の仕切部材５１ａ〜５１ｇにより仕切られた複数個（８個）のスリット開口５３ａ〜５３ｈからなる鎧戸の様な構造を有している。ここで、図３に示す様に、上側の仕切部材５１ａ〜５１ｃは、外に向かって斜め上方に傾斜しており、上に行くほど傾斜角度が大きくなっている。逆に、下側の仕切部材５１ｅ〜５１ｇは、外に向かって斜め下方に傾斜しており、下に行くほど傾斜角度が大きくなっている。真ん中の仕切部材５１ｄは傾斜していない。この結果、スリット開口５３ａ〜５３ｈの内、上部の開口５３ａ〜５３ｄは、斜め上方に広がる様に空気を吹き出し、下部の開口５３ｅ〜５３ｈは、斜め下方に広がる様に空気を吹き出すことになる。
【００５３】
側壁部材２５の空気吹き出し口５０が形成されていない部分２５ａの内面２５ｅは、図１１に示す様に、シロッコファン１０の回転中心に対して螺旋状の曲面とされている。また、側壁部材２５の空気吹き出し口５０が形成されていない部分２５ｂの外面は、内面２５ｅよりも大きな曲率の曲面とされている。
【００５４】
シロッコファン駆動モータ６０は、図３、図４に示す様に、本体ハウジング２０の底蓋部材２５の中心に、モータシャフト６１を上にした状態で固定されている。底蓋部材２５に一体に形成した整流コーン３０は、裏面側にコンデンサ収納空間３１を有する。このコンデンサ収納空間３１内にコンデンサ６３が収納されている。コンデンサ収納空間３１の上部は、シロッコファン駆動モータ６０の後端面で覆われて塞がれている。
【００５５】
シロッコファン１０は、下方が開放され、図１２〜図１４に示す様に、上部にモータシャフト取付部１１を有する円筒形状を呈している。各フィン１３は、底面側から見たとき、外へ行くほど右方向に湾曲したカーブを呈している。そして、シロッコファン１０は、図３、図４に示す様に、上方からシロッコファン駆動モータ６０の本体を覆う様に装着されている。
【００５６】
側壁部材２５の空気吹き出し口５０が形成されていない部分２５ｂは、図４に示す様に、その外面側が着脱式の外面部材２５ｃとされ、内部空間２５ｄを形成する構造となっている。シロッコファン駆動モータ６０から伸びるワイヤハーネス７０は、この空気吹き出し口５０が形成されていない部分２５ｂの内の一つの内部空間２５ｄを通して本体ハウジング２０の上面から外部に延出される様に配線されている。
【００５７】
本体ハウジング２０には、図４に示す様に、撹拌機１を住宅内の所望の位置に設置・固定するための金具８０が備えられている。金具８０は、本体ハウジング２０に収納可能に構成されている。より具体的には、金具８０は、本体ハウジング２０の内部から外部へと上下動可能に構成されている。また、金具８０には、クリック係合用の溝８１が上下方向に所定間隔で、例えば、３個以上設けられている。そして、本体ハウジング２０内に、金具８０のクリック係合用の溝８１に係合して、金具８０の上下方向出没位置を固定する金
具固定具としてのスプリング部材８３を備えている。
【００５８】
実施の形態の住宅用空気撹拌機１によれば、仕切部材５１ａ〜５１ｇを傾斜させて、上方に広がる気流と下方に広がる気流とを形成する様にしたので、本体ハウジング２０から吹き出す空気は、上下方向に広がり、床下等の空間を垂直方向にも撹拌することができる。よって、この住宅用空気撹拌機１によれば、シロッコファン１０の本来の機能による水平方向の撹拌に加えて垂直方向の撹拌も行われる。この結果、空気は三次元的に撹拌され、床下や天井裏等で下方に停滞する湿気や上方に停滞する熱気を十分に撹拌することができる。
【００５９】
また、実施の形態の住宅用空気撹拌機１によれば、吹き出す気流に上下方向の広がりを持たせるために空気吹き出し口５０を上下方向に分割する複数の仕切部材５１ａ〜５１ｇを備えたが、側壁部を開口のある部分２５ａと開口のない部分２５ｂとが周方向に交互に並んだ構造としたので、空気吹き出し口５０が堅牢な構造となり、スリット開口を構成する仕切部材５１ａ〜５１ｇの振動を抑制することができ、騒音・振動の発生を抑制することができる。また、開口の内部分２５ｂの内面２５ｅを螺旋面の一部となる様に構成したので、スリット開口５３ａ〜５３ｈから上下に広がる様に吹き出す空気流に、水平方向の旋回運動を与えることができ、三次元的な撹拌の能力をより一層向上させることができている。
【００６０】
さらに、空気を吹き出すための開口のない部分２５ｂの外面の曲率を大きくしたので、スリット開口から吹き出した気流は、開口が形成されていない部分２５ｂでは、外面の方が内面よりも流速が大きくなる。従って、本体ハウジング２０の外側に、圧力差による吸い出し力が働き、スリット開口５３ａ〜５３ｈから吹き出す気流をより遠くまで到達させることができる。この結果、撹拌能力をより一層高めることができる。
【００６１】
また、シロッコファン駆動モータ６０から伸びるワイヤハーネス７０を、空気吹き出し口が形成されていない部分２５ｂの内の一つの内部空間２５ｄを通して本体ハウジング２０の上面から外部に延出したので、シロッコファン駆動用モータ６０に電力を供給するためのワイヤハーネス７０の本体ハウジング２０内の敷設部分を最小限にすることができ、ワイヤハーネス７０が騒音・振動の発生源となるのを抑制することができる。
【００６２】
また、本体ハウジング２０を、上蓋部材２１と、底蓋部材２３と、複数個の側壁部材２５とから構成したので、本体ハウジング２０の組立は、例えば、底蓋部材２３の上に、複数の側壁部材２５をネジで取り付け、その上から上蓋部材２１を側壁部材２５にネジで取り付けるという作業で良く、他に支柱を取り付けるなどの作業をしなくてよい。また、これら上蓋部材２１、底蓋部材２３及び側壁部材２５を合成樹脂射出成形品とすることで、各部材２１，２３，２５を軽量で剛性の高い部材に仕上げることができ、騒音・振動を抑制する効果を高めることができる。特に、上述した様な多くの効果を達成するための本体ハウジング２０を所望のデザインに仕上げることができ、住宅用機器に要求されるデザイン性の高い製品を製造する上で有利である。また、微妙に角度を代えた仕切部材５１ａ〜５１ｇを備えた側壁部材２５を製造する上で、側壁部材２５が複数に分割されていることは、極めて有利である。
【００６３】
さらに、空気吹き出し口５０が形成されていない部分２５ｂの外面２５ｃを、着脱式としたので、空気吹き出し口５０が形成されていない部分２５ｂの内部空間２５ｄに、ワイヤハーネス７０を敷設する作業を容易にし、また、この部分で結線する様に構成するなどすることで、より一層組立を容易にすることができる。
【００６４】
また、実施の形態の住宅用空気撹拌機１によれば、整流コーン３０と渦巻き状開口部４
１の作用により、空気取り入れ口４０から本体ハウジング２０内に取り込まれる空気の気流の乱れは十分に抑制される。従って、騒音や振動を抑制することができる。よって、風力を大きくすることもできる。この結果、少ない設置台数で床下等の空気を十分に撹拌することができる。
【００６５】
さらに、住宅用空気撹拌機１は、整流コーン３０の裏面側にコンデンサ収納空間３１を形成し、そこにコンデンサ６３を収納したので、コンデンサ６３の出っ張りがなく、ハウジング２０内に取り入れられた気流は乱されることなくシロッコファン１０で側方へ吹き出される。よって、より一層、騒音や振動を抑制することができる。
【００６６】
加えて、コンデンサ収納空間３１の上部をシロッコファン駆動モータ６０の後端面で覆ったので、住宅用空気撹拌機１は、コンデンサ収納空間３１に空気が流入して同空間内の空気を振動させるということがないので、より一層、騒音・振動抑制効果が高まる。
【００６７】
また、設置・固定用の金具８０を、本体ハウジング２０に収納可能に構成したので、輸送時や、床下への搬入時には、金具８０を収納状態として高さを小さくすることができる。また、シロッコファン１０をモータ６０の上方から被せる様にしたので、これによっても装置全体の高さを小さくすることができる。従って、実施の形態の住宅用空気撹拌機１を床下や天井裏に搬入する際に金具８０が邪魔にならず、搬入作業を容易にする。また、撹拌機１の出荷や保管の際にも、金具８０を本体ハウジング２０に収納することで全体の高さを小さくできるので、輸送や保管を容易にするという効果もある。
【００６８】
加えて、金具８０の収納の仕方として、本体ハウジング２０の内部から外部へと上下方向にスライド可能に構成し、本体ハウジング２０内に、金具８０を上下方向にスライドさせた後に固定する固定具としてクリック係合用の溝８１とスプリング部材８３とを備えたので、金具８０を引き出したときもその下端部は本体ハウジング２０内に位置する構造となる。よって、金具８０と本体ハウジング２０との固定は堅牢となり、本体ハウジング２０がぐらつき難い。従って、この住宅用空気撹拌機１は、金具８０を収納式としたにも拘わらず、住宅内に設置したときに、本体ハウジング２０の振動抑制効果が高いといえる。また、金具８０にクリック係合用の溝８１を設け、本体ハウジング２０内にスプリング部材８３を設けたので、金具８０の長さを段階的に変更することができ、設置すべき場所に応じた高さに取り付けることができる。また、係合位置が自動的に決まるので、複数の金具８０を備える場合に、それらを引き出したときの長さを容易に一致させることができるので、撹拌機１の設置作業における位置合わせが容易になるという利点もある。
【００６９】
なお、実施の形態の住宅用空気撹拌機１は、実験によると、４０Ｗモデルで比較したときに、従来品よりも重量で約１Ｋg軽くなり、騒音について約５ｄＢ低くなり、風量について１．３倍になることが確認できた。
【００７０】
以上、本発明の一実施の形態について詳細に説明してきたが、本発明はこれに限られるものではない。
【００７１】
例えば、床下や屋根裏以外の場所に設置するためのものとして実施することもできるし、その場合、金具によって上部から吊り下げないで、足を付けて床面に設置したり、壁面に設置したりしても構わない。
【産業上の利用可能性】
【００７２】
本発明の住宅用空気撹拌機は、住宅の床下の湿気を除去したり、屋根裏の熱気を逃がしたりするための住宅換気システムに利用することができる。
【図面の簡単な説明】
【００７３】
【図１】実施の形態の住宅用空気撹拌機を示し、（Ａ）は上方から見た斜視図、（Ｂ）下方から見た斜視図である。
【図２】実施の形態の住宅用空気撹拌機の分解斜視図である。
【図３】実施の形態の住宅用空気撹拌機の垂直方向断面図である。
【図４】実施の形態の住宅用空気撹拌機の他の面で切断した垂直方向断面図である。
【図５】実施の形態の住宅用空気撹拌機に用いられる上蓋部材の平面図である。
【図６】実施の形態の住宅用空気撹拌機に用いられる底蓋部材の底面図である。
【図７】実施の形態の住宅用空気撹拌機に用いられる底蓋部材の平面図である。
【図８】実施の形態の住宅用空気撹拌機に用いられる底蓋部材の側面図である。
【図９】実施の形態の住宅用空気撹拌機に用いられる底蓋部材の垂直方向断面図である。
【図１０】実施の形態の住宅用空気撹拌機に用いられる側壁部材の背面図である。
【図１１】実施の形態の住宅用空気撹拌機に用いられる側壁部材の水平方向断面図である。
【図１２】実施の形態の住宅用空気撹拌機に用いられるシロッコファンの正面図であ
【図１３】実施の形態の住宅用空気撹拌機に用いられるシロッコファンの平面図である。
【図１４】実施の形態の住宅用空気撹拌機に用いられるシロッコファンの底面図である。
【図１５】従来技術における換気装置の水平方向断面図である。
【図１６】従来技術における換気装置の垂直方向断面図である。
【図１７】従来技術における換気装置の設置位置を示す水平方向断面図である。
【符号の説明】
【００７４】
１・・・住宅用空気撹拌機、
１０・・・シロッコファン、
２０・・・本体ハウジング、
２１・・・上蓋部材、
２３・・・底蓋部材、
２５・・・側壁部材、
３０・・・整流コーン、
４０・・・空気取り入れ口、
４１・・・渦巻き状の開口部、
４１ａ〜４１ｄ・・・開口、
４３・・・螺旋状枠部材、
４５・・・リング状枠部材、
５０・・・空気吹き出し口、
２５ａ・・・空気吹き出し口が形成された部分、
２５ｂ・・・空気吹き出し口が形成されていない部分、
５１ａ〜５１ｇ・・・仕切部材、
５３ａ〜５３ｈ・・・スリット開口、
２５ｅ・・・空気吹き出し口が形成されていない部分の内面、
６０・・・シロッコファン駆動モータ、
６１・・・モータシャフト、
３１・・・コンデンサ収納空間、
６３・・・コンデンサ、
１１・・・モータシャフト取付部、
１３・・・フィン、
２５ｃ・・・着脱式の外面部材、
２５ｄ・・・内部空間、
７０・・・ワイヤハーネス、
８０・・・金具、
８１・・・クリック係合用の溝、
８３・・・スプリング部材。
【図１】
2005069070.tif 000003
【図２】
2005069070.tif 000004
【図３】
2005069070.tif 000005
【図４】
2005069070.tif 000006
【図５】
2005069070.tif 000007
【図６】
2005069070.tif 000008
【図７】
2005069070.tif 000009
【図８】
2005069070.tif 000010
【図９】
2005069070.tif 000011
【図１０】
2005069070.tif 000012
【図１１】
2005069070.tif 000013
【図１２】
2005069070.tif 000014
【図１３】
2005069070.tif 000015
【図１４】
2005069070.tif 000016
【図１５】
2005069070.tif 000017
【図１６】
2005069070.tif 000018
【図１７】
2005069070.tif 000019